【事件の表示】
　特願２０１６−　５６７１５号「ＬＥＤ点灯装置および照明装置」拒絶査定不服審判事件〔平成２９年　９月２８日出願公開、特開２０１７−１７４５３２号、請求項の数（２）〕について、次のとおり審決する。
【結　論】
　原査定を取り消す。
　本願の発明は、特許すべきものとする。
【理　由】
第１　手続の経緯
　本願は、平成２８年３月２２日の出願であって、令和１年６月１８日付けで拒絶理由が通知され、同年８月１９日に意見書及び手続補正書が提出され、同年１１月１８日付けで拒絶査定（以下「原査定」という。）がされ、これに対し、令和２年２月２０日に拒絶査定不服審判の請求がされたものである。
第２　原査定の概要
　原査定の概要は次のとおりである。
　この出願の請求項１及び２に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者（以下「当業者」という。）が容易に発明をすることができたものであるから、特許法第２９条第２項の規定により特許を受けることができない。
　　　　　　　　　　　　　　　　記
刊行物等一覧
　引用文献１．特開２０１０−９２９９０号公報
　引用文献２．特開２０００−２６０５９０号公報
第３　本願発明
　本願請求項１及び２に係る発明（以下「本願発明１」及び「本願発明２」という。）は、令和１年８月１９日付けの手続補正書により補正された特許請求の範囲の請求項１及び２に記載された事項により特定される次のとおりのものである。
 「　【請求項１】
　直流電源または交流電源を整流する整流回路と；
　この整流回路の出力電圧を所定の直流電圧に変換する電力変換回路と；
　前記整流回路の入力端子間に接続された第１のバリスタと；
　前記整流回路の出力端子間に接続され、前記電力変換回路の出力端子間に接続されるＬＥＤの順方向電圧と前記整流回路の出力電圧との合計電圧以上のバリスタ電圧を有する第２のバリスタと；
を具備し、
　前記第２のバリスタのバリスタ電圧は、前記第１のバリスタのバリスタ電圧の１．２１倍を上回るとともに２．５倍以下であることを特徴とするＬＥＤ点灯装置。
　　【請求項２】
　ＬＥＤと；
　このＬＥＤを配設する装置本体と；
　前記ＬＥＤを点灯する請求項１記載のＬＥＤ点灯装置と；
を具備していることを特徴とする照明装置。」
第４　引用文献の記載事項等
１　引用文献１
（１）記載事項
　原査定の拒絶の理由に引用された引用文献１には、次の事項が記載されている（下線は当審で付与。以下同様。）。
（１ａ）「【００３２】
　図３に示すように、
駆動回路１００は
蛍光灯フレームのソケットから電源を受け、これを静電源化してＬＥＤモジュール５０に供給してＬＥＤ５１を点灯させる
【００３３】
　前記駆動回路１００は、既に設置されている水銀放電管蛍光灯フレームの両側ソケットのいずれかから電源が入力されてもＬＥＤモジュール５０を点灯させることができるので、ＬＥＤ蛍光灯をフレームに設置するとき、その装着方向を考慮する必要がなくて消費者の便宜性を増進させ、入力電源の過電圧及び過電流を遮断し、外部から導入されるサージ電圧及びノイズを除去し、いつも一定大きさの安定的な静電流をＬＥＤモジュールに供給して、ＬＥＤモジュールが一定照度を持ち、ちらつきなしに点灯できるようにする両方向入力電源処理が可能になる。
【００３４】
　図７に示すように、本発明の
駆動回路１００は、第１電源入力部１１０、第２電源入力部１２０、駆動部１３０、及びフィードバック部１４０を含んでなる。
　
前記第１電源入力部１１０及び第２電源入力部１２０はそれぞれ両側固定カバー８０の接続ピン８６に電気的に連結され、蛍光灯フレームのソケットに連結されることにより、安定器を介して交流電源を受け、異常的な入力電源は遮断して平滑化し直流化して前記駆動部１３０に直流電源を供給する
（１ｂ）「【００３６】
　
前記第１電源入力部１１０及び第２電源入力部１２０は、それぞれ保護部１１１、１２１、ノイズ除去部１１３、１２３、及び平滑部１１５、１２５を含んでなる
【００３７】
　
前記保護部１１１、１２１は、前記ソケット３に連結される電源入力端に並列で連結されているバリスタＺＮＲ１１、ＺＮＲ２１と、電源入力端に直列で連結されているヒューズＦ１１、Ｆ２１と、ＮＴＣ抵抗ＮＴＣ１１、ＮＴＣ２１とを含んでなる
　
前記バリスタＺＮＲ１１、ＺＮＲ２１は、入力電源の過電圧又は外部から流入されるサージ電圧を遮断し、前記ヒューズＦ１１、Ｆ２１は、過電流の入力の際、これを遮断し、前記ＮＴＣ抵抗ＮＴＣ１１、ＮＴＣ２１は、サージ電流を遮断して異常的な電源の入力を防止することで、駆動回路１００及びＬＥＤモジュール５０を保護する
【００３８】
　前記ノイズ除去部１１３、１２３は、前記保護部１１１、１２１に並列で連結されているキャパシタＣ１１、Ｃ１２、Ｃ２１、Ｃ２２で構成される。図面に示されていないが、前記ノイズ除去部１１３、１２３は、前記キャパシタＣ１１、Ｃ１２、Ｃ２１、Ｃ２２の出力端に、かつ前記保護部１１１、１２１に並列で連結されるインダクタをさらに含むことができる。
　前記ノイズ除去部１１３、１２３のキャパシタ（インダクタを含むことができる）は外部から流入されるサージ及びノイズを除去して出力する。
【００３９】
　
前記平滑部１１５、１２５は、前記ノイズ除去部１１３、１２３から入力される電源を平滑化し直流化して前記駆動部１３０に供給する
　
前記平滑部１１５、１２５は、前記ノイズ除去部１１３、１２３の出力電源を電波整流するブリッジダイオードＤ１１〜Ｄ１４、Ｄ２１〜Ｄ２４と、整流された電源を平滑化する抵抗ＺＮＲ１２、Ｒ１１、Ｒ１２、ＺＮＲ２２、Ｒ２１、Ｒ２２及びキャパシタＣ１３、Ｃ１４、Ｃ２３、Ｃ１４とを含んでなる
【００４０】
　前記駆動部１３０は、インダクタＬ３１、トランジスタＱ、静電源供給部１３２、コイルＬ３２、制御部１３１、及び利得補償部１３３を含んでなる
　
前記インダクタＬ３１は、前記平滑部１１５、１２５の出力電源によって電流が一時的に充電され、トランジスタＱのスイッチングによって充電された電流を放電して、前記平滑部１１５、１２５の出力電源を昇圧又は降圧して前記静電源供給部１３２に供給する。
　前記トランジスタＱは、前記制御部１３１からパルス信号を受信してスイッチングして前記インダクタＬ３１に電流を充電又は放電させる。
　前記トランジスタＱは電界効果トランジスタＦＥＴを使用し、そのゲート端子は前記制御部１３１に連結されて、スイッチングのためのパルス信号を受信し、ドレイン端子は前記インダクタＬ３１の出力端に連結されてインダクタを充放電させ、ソース端子には抵抗Ｒ３５、Ｒ３６及びキャパシタＣ３５で構成された利得補償部１３３が連結されてトランジスタＱのスイッチング動作を安定化させ、高周波帯域での利得を補償する。前記利得補償部１３３の抵抗Ｒ３５、Ｒ３６はスイッチング動作を安定化させ、前記キャパシタＣ３５は高周波帯域で利得補償する役目をする。
【００４１】
　
前記静電源供給部１３２は、前記インダクタＬ３１を通じて昇圧又は降圧された電源を平滑化し直流化して、負荷側のＬＥＤモジュール５０に静電源（静電圧又は静電流）を供給する。
　前記静電源供給部１３２は、前記インダクタＬ３１を通過した電源を整流するダイオードＤ３１と、前記ダイオードＤ３１によって整流された電源を平滑で直流化するキャパシタＣ３６とを含んでなる。」
（１ｃ）【図７】は次のとおりである。
（１ｄ）【図８】は次のとおりである。
（２）認定事項
ア　記載事項（１ｄ）の【図８】の「平滑部１２５」の一番下に記載されるダイオードに符号が付されていないが、記載事項（１ｃ）の段落【００３９】の「前記平滑部１１５、１２５は、前記ノイズ除去部１１３、１２３の出力電源を電波整流するブリッジダイオードＤ１１〜Ｄ１４、Ｄ２１〜Ｄ２４と、・・・とを含んでなる。」との記載からみて、符号「Ｄ２４」の記載漏れであることは明らかである。
イ　記載事項（１ｂ）の段落【００３９】に「整流された電源を平滑化する抵抗ＺＮＲ１２、Ｒ１１、Ｒ１２、ＺＮＲ２２、Ｒ２１、Ｒ２２及びキャパシタＣ１３、Ｃ１４、Ｃ２３、Ｃ１４とを含んでなる。」と記載されているが、「ＺＮＲ」について、同【００３７】に「バリスタＺＮＲ１１、ＺＮＲ２１」と記載され、記載事項（１ｄ）の【図８】に図示される「ＺＮＲ１２」と「ＺＮＲ２２」の配線記号をみても、いずれもバリスタを表すものとして記載されている。
　そうすると、上記段落【００３９】の「抵抗ＺＮＲ１２・・・ＺＮＲ２２」という記載は誤記であるか、あるいは、バリスタと通常の抵抗も含めた上位概念として「抵抗」と表記したものであって、「ＺＮＲ１２」及び「ＺＮＲ２２」はともに「バリスタ」であるものと認める。
ウ　上記ア、イを踏まえると、記載事項（１ｄ）の【図８】の「平滑部１１５」及び「平滑部１２５」の配線の記載と、記載事項（１ｂ）の段落【００３９】の記載から次の事項が認定できる。
 「前記平滑部１１５、１２５は、前記ノイズ除去部１１３、１２３の出力電源を電波整流するブリッジダイオードＤ１１〜Ｄ１４、Ｄ２１〜Ｄ２４と、整流された電源を平滑化するバリスタＺＮＲ１２、抵抗Ｒ１１、Ｒ１２、バリスタＺＮＲ２２、抵抗Ｒ２１、Ｒ２２及びキャパシタＣ１３、Ｃ１４、Ｃ２３、Ｃ１４とを含んでなり、
　ブリッジダイオードＤ１１及びＤ１３のカソードに対し、バリスタＺＮＲ１２、抵抗Ｒ１１、抵抗Ｒ１２とそれに直列に接続されたキャパシタ１３、キャパシタ１４が並列に接続され、かつ、並列に接続する配線のうちの駆動部１３０に配線されない方の配線は接地され、
　ブリッジダイオードＤ２１及びＤ２３のカソードに対し、バリスタＺＮＲ２２、抵抗Ｒ２１、抵抗Ｒ２２とそれに直列に接続されたキャパシタ１３とが並列に接続され、かつ、並列に接続する配線のうちの駆動部１３０に配線されない方の配線は接地されている」こと。
（３）引用発明
　上記（１）、（２）より、引用文献１には次の発明（以下「引用発明」という。）が記載されているものと認める。
 「　蛍光灯フレームのソケットから電源を受け、これを静電源化してＬＥＤモジュール５０に供給してＬＥＤ５１を点灯させる駆動回路１００であって、
　前記駆動回路１００は、第１電源入力部１１０、第２電源入力部１２０、駆動部１３０、及びフィードバック部１４０を含んでなり、
　前記駆動部１３０は、インダクタＬ３１、トランジスタＱ、静電源供給部１３２、コイルＬ３２、制御部１３１、及び利得補償部１３３を含んでなり、
　前記インダクタＬ３１は、前記平滑部１１５、１２５の出力電源によって電流が一時的に充電され、トランジスタＱのスイッチングによって充電された電流を放電して、前記平滑部１１５、１２５の出力電源を昇圧又は降圧して前記静電源供給部１３２に供給し、
　前記静電源供給部１３２は、前記インダクタＬ３１を通じて昇圧又は降圧された電源を平滑化し直流化して、負荷側のＬＥＤモジュール５０に静電源（静電圧又は静電流）を供給し、
　前記第１電源入力部１１０及び第２電源入力部１２０はそれぞれ両側固定カバー８０の接続ピン８６に電気的に連結され、蛍光灯フレームのソケットに連結されることにより、安定器を介して交流電源を受け、異常的な入力電源は遮断して平滑化し直流化して前記駆動部１３０に直流電源を供給するものであり、
　前記第１電源入力部１１０及び第２電源入力部１２０は、それぞれ保護部１１１、１２１、ノイズ除去部１１３、１２３、及び平滑部１１５、１２５を含んでなり、
　前記保護部１１１、１２１は、前記ソケット３に連結される電源入力端に並列で連結されているバリスタＺＮＲ１１、ＺＮＲ２１と、電源入力端に直列で連結されているヒューズＦ１１、Ｆ２１と、ＮＴＣ抵抗ＮＴＣ１１、ＮＴＣ２１とを含んでなり、
　前記バリスタＺＮＲ１１、ＺＮＲ２１は、入力電源の過電圧又は外部から流入されるサージ電圧を遮断し、前記ヒューズＦ１１、Ｆ２１は、過電流の入力の際、これを遮断し、前記ＮＴＣ抵抗ＮＴＣ１１、ＮＴＣ２１は、サージ電流を遮断して異常的な電源の入力を防止することで、駆動回路１００及びＬＥＤモジュール５０を保護するものであり、
　前記平滑部１１５、１２５は、前記ノイズ除去部１１３、１２３から入力される電源を平滑化し直流化して前記駆動部１３０に供給するものであり、
　前記平滑部１１５、１２５は、前記ノイズ除去部１１３、１２３の出力電源を電波整流するブリッジダイオードＤ１１〜Ｄ１４、Ｄ２１〜Ｄ２４と、整流された電源を平滑化するバリスタＺＮＲ１２、抵抗Ｒ１１、Ｒ１２、バリスタＺＮＲ２２、抵抗Ｒ２１、Ｒ２２及びキャパシタＣ１３、Ｃ１４、Ｃ２３、Ｃ１４とを含んでなり、
　ブリッジダイオードＤ１１及びＤ１３のカソードに対し、バリスタＺＮＲ１２、抵抗Ｒ１１、抵抗Ｒ１２とそれに直列に接続されたキャパシタ１３、キャパシタ１４が並列に接続され、かつ、並列に接続する配線のうちの駆動部１３０に配線されない方の配線は接地され、
　ブリッジダイオードＤ２１及びＤ２３のカソードに対し、バリスタＺＮＲ２２、抵抗Ｒ２１、抵抗Ｒ２２とそれに直列に接続されたキャパシタ１３とが並列に接続され、かつ、並列に接続する配線のうちの駆動部１３０に配線されない方の配線は接地されている駆動回路１００。」
２　引用文献２
（１）記載事項
　原査定の拒絶の理由に引用された引用文献２には、次の事項が記載されている。
（２ａ）「【請求項１】
Ｅ２６口金を有するカバーと；入力電圧を整流する整流装置および整流装置の出力電圧を高周波電圧に変換する高周波変換装置を有し、主としてカバー内に配置された高周波点灯装置と；カバーに支持され、高周波点灯装置にて付勢される定格２５Ｗ以下のけい光ランプと；を備え、Ｅ２６受金に装着されて商用電源電圧で定格点灯される電球形けい光ランプであって、前記高周波点灯装置は、整流装置の入力端間および出力端間の少なくとも一方にバリスタを有し、かつ、このバリスタのバリスタ電圧を、Ｅ２６口金を有する水銀ランプ、ナトリウムランプ等の定格４０Ｗ以上の高輝度放電灯を点灯する昇圧形安定器の定格二次電圧より大きくした
電球形けい光ランプ
（２ｂ）「【０００６】本発明は、ＨＩＤ用の照明装置の受金に誤装着されたとしても、バリスタが導通して電流が流れ続けることによる発熱、周囲部品の溶融、焼損を防止でき、したがって、耐電圧の低い安価の部品を用いて構成し得る電球形けい光ランプ、およびこの電球形けい光ランプを用いた照明装置を提供することを目的とする。」
(２ｃ）「【００２４】ここで、上記整流装置８の入力端間に設けられたバリスタ１１のバリスタ電圧は、２７０Ｖ以上に設定されている。また、バリスタ１１として整流装置８の出力端間に設けてもよく、この場合、バリスタ１１のバリスタ電圧は３９０Ｖ以上とする。」
（２ｄ）「【００２８】つぎに、本実施形態の電球形けい光ランプを、Ｅ２６口金を有する４０Ｗ水銀ランプ（東芝ライテック（株）製ＨＦ４０Ｘ）を点灯するための昇圧形の低力率形安定器（東芝ライテック（株）製０４ＨＴ−１０１３ＬＷ）の出力を供給する受口に誤って装着した場合を説明する。
【００２９】この場合には、整流装置８は同様に整流し、また、平滑用のコンデンサ１３も平滑して、あるリップルを持った電圧を高周波変換装置１４に供給する。高周波変換装置１４は初期には、上記と同様に作動してけい光ランプ１９を点灯するが、４０Ｗ水銀ランプを点灯するための安定器の出力は高周波変換装置１４にとっては過入力である。したがって、高周波変換装置１４の構成部品の内、容量的に余裕がない部品たとえばＦＥＴ１５、１６が破壊する。高周波変換装置１４の部品の破壊により短絡モードとなれば、電流ヒューズ９が溶断するから、さらに問題が発展することはない。また、高周波変換装置１４の部品の破壊により開放モードとなっても、バリスタ１１のバリスタ電圧を４０Ｗ水銀ランプの安定器の出力電圧より大きくしてあるから、バリスタ１１に電流が流れることがない。したがって、従来技術のように、バリスタ１１に電流が流れ続けることによりバリスタ１１が発熱して、カバー１等の周辺部品を溶融変形させたり、焼損させたりすることがない。」
（２ｅ）【図１】は次のとおりである。
（２）認定事項
　記載事項（２ａ）の「整流装置の入力端間および出力端間の
少なくとも一方
（３）引用文献２に記載された技術的事項
　上記（１）、（２）より、引用文献２には次の技術的事項（以下「引用文献２技術」という。）が記載されているものと認める。 
「Ｅ２６口金を有するカバーと；入力電圧を整流する整流装置および整流装置の出力電圧を高周波電圧に変換する高周波変換装置を有し、主としてカバー内に配置された高周波点灯装置と；カバーに支持され、高周波点灯装置にて付勢される定格２５Ｗ以下のけい光ランプと；を備え、Ｅ２６受金に装着されて商用電源電圧で定格点灯される電球形けい光ランプであって、前記高周波点灯装置は、整流装置の入力端間および出力端間のそれぞれにバリスタを有し、かつ、それぞれのバリスタのバリスタ電圧を、Ｅ２６口金を有する水銀ランプ、ナトリウムランプ等の定格４０Ｗ以上の高輝度放電灯を点灯する昇圧形安定器の定格二次電圧より大きい２７０Ｖ以上と３９０Ｖ以上とした電球形蛍光ランプに用いられる高周波点灯装置」に係る技術。
第５　対比・判断
１　本願発明１について
（１）対比
　本願発明１と引用発明とを対比する。
ア　後者の「ブリッジダイオードＤ１１〜Ｄ１４、Ｄ２１〜Ｄ２４」は、前者の「整流回路」に相当し、以下同様に、「バリスタＺＮＲ１１、ＺＮＲ２１」は、「第１のバリスタ」に、「バリスタＺＮＲ１２」、「バリスタＺＮＲ２２」は、「第２のバリスタ」にそれぞれ相当する。
イ　上記アを踏まえると、後者の「安定器を介して交流電源を受け、異常的な入力電源は遮断して平滑化し直流化して前記駆動部１３０に直流電源を供給するものであ」る「前記第１電源入力部１１０及び第２電源入力部１２０」に含まれる「前記平滑部１１５、１２５」に更に含まれる「前記ノイズ除去部１１３、１２３の出力電源を電波整流するブリッジダイオードＤ１１〜Ｄ１４、Ｄ２１〜Ｄ２４」は、前者の「直流電源または交流電源を整流する整流回路」に相当するといえる。
ウ　上記イを踏まえると、後者の「インダクタＬ３１、トランジスタＱ、静電源供給部１３２、コイルＬ３２、制御部１３１、及び利得補償部１３３を含んでなり、前記インダクタＬ３１は、前記平滑部１１５、１２５の出力電源によって電流が一時的に充電され、トランジスタＱのスイッチングによって充電された電流を放電して、前記平滑部１１５、１２５の出力電源を昇圧又は降圧して前記静電源供給部１３２に供給し、前記静電源供給部１３２は、前記インダクタＬ３１を通じて昇圧又は降圧された電源を平滑化し直流化して、負荷側のＬＥＤモジュール５０に静電源（静電圧又は静電流）を供給」するという事項を有する「駆動部１３０」は、前者の「この整流回路の出力電圧を所定の直流電圧に変換する電力変換回路」に相当するといえる。
エ　後者の「前記ソケット３に連結される電源入力端に並列で連結されているバリスタＺＮＲ１１、ＺＮＲ２１」という事項の「前記ソケット３に連結される電源入力端」は「入力端子」といえ、そこに「並列で連結されている」ということは、当該「電源入力端」間に接続されているといえるものである。
　そうすると、上記アを踏まえると、後者の上記事項と、前者の「前記整流回路の入力端子間に接続された第１のバリスタ」とは、「入力端子間に接続された第１のバリスタ」である点で共通するといえる。
オ　上記ア、イを踏まえると、後者の
 「ブリッジダイオードＤ１１及びＤ１３のカソードに対し、バリスタＺＮＲ１２、抵抗Ｒ１１、抵抗Ｒ１２とそれに直列に接続されたキャパシタ１３、キャパシタ１４が並列に接続され、かつ、並列に接続する配線のうちの駆動部１３０に配線されない方の配線は接地され、
　ブリッジダイオードＤ２１及びＤ２３のカソードに対し、バリスタＺＮＲ２２、抵抗Ｒ２１、抵抗Ｒ２２とそれに直列に接続されたキャパシタ１３とが並列に接続され、かつ、並列に接続する配線のうちの駆動部１３０に配線されない方の配線は接地されている」
ということと、前者の
 「前記整流回路の出力端子間に接続され、前記電力変換回路の出力端子間に接続されるＬＥＤの順方向電圧と前記整流回路の出力電圧との合計電圧以上のバリスタ電圧を有する第２のバリスタ」
とは、「前記整流回路に接続された第２のバリスタ」である点で共通するといえる。
カ　後者の「蛍光灯フレームのソケットから電源を受け、これを静電源化してＬＥＤモジュール５０に供給してＬＥＤ５１を点灯させる駆動回路１００」は、前者の「ＬＥＤ点灯装置」に相当する。
キ　以上のことより、本願発明１と引用発明との一致点、相違点は次のとおりと認める。
〔一致点〕
 「直流電源または交流電源を整流する整流回路と；
　この整流回路の出力電圧を所定の直流電圧に変換する電力変換回路と；
　入力端子間に接続された第１のバリスタと；
　前記整流回路に接続された第２のバリスタと；
を具備するＬＥＤ点灯装置。」
〔相違点１〕
 「第１のバリスタ」が接続される「入力端子間」について、本願発明１が、「前記整流回路の入力端子間」であるのに対し、引用発明は、「前記ソケット３に連結される電源入力端」間であって、「ブリッジダイオードＤ１１〜Ｄ１４、Ｄ２１〜Ｄ２４」（整流回路）の入力端子間ではない点。
〔相違点２〕
 「第２のバリスタ」の接続態様について、本願発明１が、「前記整流回路の出力端子間に接続され」るものであるのに対し、引用発明は、「ブリッジダイオードＤ１１及びＤ１３のカソードに対し、バリスタＺＮＲ１２、抵抗Ｒ１１、抵抗Ｒ１２とそれに直列に接続されたキャパシタ１３、キャパシタ１４が並列に接続され、かつ、並列に接続する配線のうちの駆動部１３０に配線されない方の配線は接地され、ブリッジダイオードＤ２１及びＤ２３のカソードに対し、バリスタＺＮＲ２２、抵抗Ｒ２１、抵抗Ｒ２２とそれに直列に接続されたキャパシタ１３とが並列に接続され、かつ、並列に接続する配線のうちの駆動部１３０に配線されない方の配線は接地されている」というものであって、「ブリッジダイオードＤ１１〜Ｄ１４、Ｄ２１〜Ｄ２４」（整流回路）の出力端子間ではない点。
〔相違点３〕
 「第２のバリスタ」のバリスタ電圧について、本願発明１が、「前記電力変換回路の出力端子間に接続されるＬＥＤの順方向電圧と前記整流回路の出力電圧との合計電圧以上のバリスタ電圧を有する」ものであり、「前記第２のバリスタのバリスタ電圧は、前記第１のバリスタのバリスタ電圧の１．２１倍を上回るとともに２．５倍以下である」のに対し、引用発明は、「バリスタＺＮＲ１２」、「バリスタＺＮＲ２２」（第２のバリスタ）のバリスタ電圧に係る事項が特定されていない点。
（２）判断
　事案に鑑み、上記相違点３について検討する。
　まず、引用文献２技術について検討すると、引用文献２技術は、「整流装置の入力端間および出力端間のそれぞれにバリスタ」を設け、それぞれ、「入力端間のバリスタ」（第１のバリスタ）のバリスタ電圧を２７０Ｖ以上とし、「出力端間のバリスタ」（第２のバリスタ）のバリスタ電圧を３９０Ｖ以上にしているものである。
　しかしながら、引用文献２技術は、「
ＨＩＤ用の照明装置の受金に誤装着
　一方、引用文献１には、当該課題と共通ないし類似する課題が記載ないし示唆されてはおらず、ＬＥＤの駆動回路であるところの引用発明に、電球型蛍光ランプの高周波点灯装置であるところの引用文献２技術を適用する動機付けがあるとはいえない。
　また、本願発明１の「第２のバリスタ」が「前記電力変換回路の出力端子間に接続されるＬＥＤの順方向電圧と前記整流回路の出力電圧との合計電圧以上のバリスタ電圧を有する」という事項に対応する事項を、引用文献２技術の「出力端間のバリスタ」（第２のバリスタ）は有していない（引用文献２技術の出力端間のバリスタのバリスタ電圧は３９０Ｖ以上であるが、本願発明１の上記「合計電圧」により決定されたものではなく、ＬＥＤの順方向電圧や整流回路の出力電圧は、照明装置によって異なるものである。）。
　したがって、引用発明に引用文献２技術を適用する動機付けがあるとはいえず、仮に適用したとしても、上記相違点３に係る本願発明１の事項を有するものには至らない。
　よって、他の相違点について検討するまでもなく、本願発明１は、引用発明及び引用文献２技術に基いて、当業者が容易に発明をすることができたものとはいえない。
２　本願発明２について
　本願発明２は、本願発明１の発明特定事項を全て含み、さらに限定を加えたものであるから、本願発明１と同様の理由により、引用発明及び引用文献２技術に基いて、当業者が容易に発明をすることができたものとはいえない。
第６　むすび
　以上のとおり、本願発明１、２は、引用発明及び引用文献２技術に基いて、当業者が容易に発明をすることができたものではない。
　したがって、原査定の理由によって、本願を拒絶することはできない。
　また、他に本願を拒絶すべき理由を発見しない。
　よって、結論のとおり審決する。